(57)【要約】  ペン先からの熱変色性インキの吐出に応じた適正な空気の取り込みが可能となり、熱変色性インキがペン先から円滑に吐出可能となり、回転部材の回転に伴って確実に筆記体を回転させることができるノック式筆記具を提供する。筆記体６の後端部に空気孔６３ａ及び複数の突片６３ｂが設けられる。出没回転部材７の前面に、各々の突片６３ｂの後端が当接可能な複数の当接部７３と、当接部７３の相互間に形成されて当該当接部７３より前方に突出する複数の突起部７２と、が設けられる。各々の突起部７２が突片６３ｂの間の隙間６３ｃに挿入され、各々の突片６３ｂの軸方向の長さが各々の突起７２の軸方向の長さより長く設定され、各々の突起７２の前端より前方側に隙間６３ｃが残存される。
2020110461.tif 000002
【特許請求の範囲】
【請求項１】
前端にペン先が設けられ、内部に熱変色性インキが内蔵され、後端に前記熱変色性インキが内蔵される空間に連通する空気孔が開口された筆記体と、
前記筆記体を、前後方向に移動可能に収容する軸筒と、
前記軸筒の外面に設けられ、当該軸筒に対して前後方向に移動可能なノック部材と、
前記ノック部材が前方に移動される度に、前記軸筒の前端から前記ペン先を突出または没入させるよう前後に移動すると共に、当該筆記体を回転させる出没回転部材と、
前記軸筒内に設けられ、前記ノック部材の位置に応じて前記出没回転部材と係合または係合解除可能なカム部と、
を備え、
前記筆記体の後端には、周方向に互いに離れて配置された複数の後方に突出する突片が設けられており、
前記複数の突片の間の隙間は、前記空気孔と連通しており、
前記出没回転部材の前方部に、前記複数の突片の後端が当接する複数の当接部と、当該当接部よりも更に前方に突出する複数の突起部と、が設けられており、
前記複数の突起部の各々は、前記複数の突片の間の隙間に挿入されており、
前記複数の突起部の各々の前方において、前記隙間の一部が残存している
ことを特徴とするノック式筆記具。
【請求項２】
前記軸筒は、前記筆記体を、後方に付勢された状態で、且つ、前後方向に移動可能に収容しており、
前記出没回転部材は、前記ノック部材の前後方向の移動に連動して、前後方向に移動するようになっており、前記ノック部材が前方に押圧される度に、当該ノック部材と共に前方に移動して、前記軸筒の前端から前記ペン先を突出または没入させるようになっている
ことを特徴とする請求項１に記載のノック式筆記具。
【請求項３】
前記複数の突片と前記複数の突起部とは、互いに周方向に係合するようになっており、前記出没回転部材の回転に伴って前記筆記体が回転するようになっている
ことを特徴とする請求項１または２に記載のノック式筆記具。
【請求項４】
前記複数の突片における前記複数の突起部との係合面、及び、前記複数の突起部における前記複数の突片との係合面は、前後方向に略平行に延在している
ことを特徴とする請求項３に記載のノック式筆記具。
【請求項５】
前記出没回転部材の前方部には、前記複数の突起部と一体的に、環状補助突起部が連設されている
ことを特徴とする請求項１乃至４のいずれかに記載のノック式筆記具。
【請求項６】
前記環状補助突起部の内側面は、テーパ状の補助当接面となっており、
前記筆記体の後端部には、前記補助当接面に当接する補助テーパ部が設けられている
ことを特徴とする請求項５に記載のノック式筆記具。
【請求項７】
前記複数の突片は、ポリプロピレン樹脂又はポリエチレン樹脂により形成されている
ことを特徴とする請求項１乃至６のいずれかに記載のノック式筆記具。
【請求項８】
前端にペン先が設けられ、内部に熱変色性インキが内蔵され、後端に前記熱変色性インキが内蔵される空間に連通する空気孔が開口された筆記体と、
前記筆記体を、前後方向に移動可能に収容する軸筒と、
前記軸筒の外面に設けられ、当該軸筒に対して前後方向に移動可能なノック部材と、
前記ノック部材が前方に移動される度に、前記軸筒の前端から前記ペン先を突出または没入させるよう前後に移動すると共に、当該筆記体を回転させる出没回転部材と、
前記軸筒内に設けられ、前記ノック部材の位置に応じて前記出没回転部材と係合または係合解除可能なカム部と、
を備え、
前記出没回転部材の前方部には、周方向に互いに離れて配置された複数の前方に突出する突起部が設けられており、
前記筆記体の後端に、前記複数の突起部の前端が当接する複数の当接部と、当該当接部よりも更に後方に突出する複数の突片と、が設けられており、
前記複数の突片の各々は、前記複数の突起部の間の隙間に挿入されており、
前記複数の突片の各々の後方において、前記隙間の一部が残存している
ことを特徴とするノック式筆記具。
【請求項９】
前端にペン先が設けられ、内部に熱変色性インキが内蔵され、後端に前記熱変色性インキが内蔵される空間に連通する空気孔が開口された筆記体と、
前記筆記体を、前後方向に移動可能に収容する軸筒と、
前記軸筒の外面に設けられ、当該軸筒に対して前後方向に移動可能なノック部材と、
前記ノック部材が前方に移動される度に、前記軸筒の前端から前記ペン先を突出または没入させるよう前後に移動すると共に、当該筆記体を回転させる出没回転部材と、
前記軸筒内に設けられ、前記ノック部材の位置に応じて前記出没回転部材と係合または係合解除可能なカム部と、
を備え、
前記出没回転部材の前方部に、前方に突出する複数の突起部が設けられており、
前記筆記体の後端には、弾性変形可能な柔軟部材が設けられており、
前記柔軟部材は、多孔性の材料から形成されており、
前記複数の突起部と前記柔軟部材とは、前記複数の突起部が前記柔軟部材を弾性変形させながら当該柔軟部材の内部に没入することによって互いに周方向に係合するようになっており、前記出没回転部材の回転に伴って前記筆記体が回転するようになっている
ことを特徴とするノック式筆記具。
【請求項１０】
前端にペン先が設けられ、内部に熱変色性インキが内蔵され、後端に前記熱変色性インキが内蔵される空間に連通する空気孔が開口された筆記体と、
前記筆記体を、前後方向に移動可能に収容する軸筒と、
前記軸筒の外面に設けられ、当該軸筒に対して前後方向に移動可能なノック部材と、
前記ノック部材が前方に移動される度に、前記軸筒の前端から前記ペン先を突出または没入させるよう前後に移動すると共に、当該筆記体を回転させる出没回転部材と、
前記軸筒内に設けられ、前記ノック部材の位置に応じて前記出没回転部材と係合または係合解除可能なカム部と、
を備え、
前記出没回転部材の前方部に、前方に突出する複数の突起部が設けられており、
前記筆記体の後端には、弾性変形可能な柔軟部材が設けられており、
前記柔軟部材には、前記空気孔に連通すると共に当該柔軟部材の後端または側面において開口された接続空気孔が設けられており、
前記複数の突起部と前記柔軟部材とは、前記複数の突起部が前記柔軟部材を弾性変形させながら当該柔軟部材の内部に没入することによって互いに周方向に係合するようになっており、前記出没回転部材の回転に伴って前記筆記体が回転するようになっている
ことを特徴とするノック式筆記具。
【請求項１１】
前端にペン先が設けられ、内部に熱変色性インキが内蔵され、後端に前記熱変色性インキが内蔵される空間に連通する空気孔が開口された筆記体と、
前記筆記体を、前後方向に移動可能に収容する軸筒と、
前記軸筒の外面に設けられ、当該軸筒に対して前後方向に移動可能なノック部材と、
前記ノック部材が前方に移動される度に、前記軸筒の前端から前記ペン先を突出または没入させるよう前後に移動すると共に、当該筆記体を回転させる出没回転部材と、
前記軸筒内に設けられ、前記ノック部材の位置に応じて前記出没回転部材と係合または係合解除可能なカム部と、
を備え、
前記筆記体の後端には、周方向に互いに離れて配置された複数の後方に突出する突片が設けられており、
前記複数の突片の間の隙間は、前記空気孔と連通しており、
前記出没回転部材の前方部に、弾性変形可能な柔軟部材が設けられており、
前記柔軟部材は、多孔性の材料から形成されており、
前記複数の突片と前記柔軟部材とは、前記複数の突片の後方側の少なくとも一部が前記柔軟部材を弾性変形させながら当該柔軟部材の内部に没入することによって互いに周方向に係合するようになっており、前記出没回転部材の回転に伴って前記筆記体が回転するようになっている
ことを特徴とするノック式筆記具。
【請求項１２】
前端にペン先が設けられ、内部に熱変色性インキが内蔵され、後端に前記熱変色性インキが内蔵される空間に連通する空気孔が開口された筆記体と、
前記筆記体を、前後方向に移動可能に収容する軸筒と、
前記軸筒の外面に設けられ、当該軸筒に対して前後方向に移動可能なノック部材と、
前記ノック部材が前方に移動される度に、前記軸筒の前端から前記ペン先を突出または没入させるよう前後に移動すると共に、当該筆記体を回転させる出没回転部材と、
前記軸筒内に設けられ、前記ノック部材の位置に応じて前記出没回転部材と係合または係合解除可能なカム部と、
を備え、
前記筆記体の後端には、周方向に互いに離れて配置された複数の後方に突出する突片が設けられており、
前記複数の突片の間の隙間は、前記空気孔と連通しており、
前記出没回転部材の前方部に、弾性変形可能な柔軟部材が設けられており、
前記複数の突片と前記柔軟部材とは、前記複数の突片の後方側の一部が前記柔軟部材を弾性変形させながら当該柔軟部材の内部に没入することによって互いに周方向に係合するようになっており、前記出没回転部材の回転に伴って前記筆記体が回転するようになっている
ことを特徴とするノック式筆記具。
【発明の詳細な説明】
【技術分野】
【０００１】
本発明は、熱変色性インキが内蔵された筆記体を備えたノック式筆記具に関する。
【背景技術】
【０００２】
従来より、ノック部材を前方に押圧する度にペン先が出没するノック式筆記具が知られている。【０００３】
特許文献１には、そのようなノック式ボールペンが開示されている。当該ノック式ボールペンは、ペン先を出没させるための回転カム部材を備えている。また、回転カム部材の前面に、インキ収容管の後端開口部内に挿入される突出部と、インキ収容管の後端に当接する当接部と、が設けられており、前記突出部の外面には、インキ収容管の後端開口部の内周縁部に圧接される傾斜面状の圧接部が設けられている。これにより、当該圧接部より前方の突出部の外面とインキ収容管の内面とは、非接触状態となっている。更に、前記圧接部の一部に前後方向に延びる切欠部が設けられ、当該切欠部と連通する凹部が前記当接部の一部に設けられている。このため、回転カム部材の当接部とインキ収容管の後端とが当接した状態において、前記切欠部と前記凹部とにより、インキ収容管の内部と外部とを連通させる空気通路が形成されている。これにより、インキ収容管のインキに対する空気置換がスムーズとなり、円滑な吐出性能が得られるようになっている。【０００４】
更に、最近では、ノック部材を前方に押圧する度に、ペン先が出没することに加えてペン先が回転するようなノック式筆記具も知られている。このようにペン先が回転する筆記具は、ペン先の摩耗を均等化することができるため、市場において人気がある。【０００５】
特許文献２には、そのようなノック式筆記具が開示されている。当該ノック式筆記具は、ペン先の偏った磨耗を回避する目的で、回転カムの回転とともにレフィールも回転するようになっている。また、特許文献２に記載された構成例では、レフィールの尾栓の頭部端面に、円周方向にＶ字状に刻まれた被係合部が形成され、回転カムの先端面に、前記被係合部に係合するような円周方向に逆Ｖ字状に刻まれた係合部が形成されている。
【先行技術文献】
【特許文献】
【０００６】
【特許文献１】特開２００４−１７３９７号公報
【特許文献２】特開平１１−７８３６１号公報
【発明の概要】
【発明が解決しようとする課題】
【０００７】
熱変色性インキは、ペン先からのインキ吐出量が比較的多い。このため、熱変色性インキを用いる筆記具に特許文献１に記載された構成を適用すると、インキ収容管の外部からインキ収容管の内部への空気の取り込みが不十分で、ペン先からの円滑なインキ吐出性が得られないおそれがある（筆跡途切れを生じさせるおそれがある）。【０００８】
同様に、熱変色性インキを用いる筆記具に特許文献２に記載された構成を適用すると、レフィールの内部と外部とを連通させる大きな空気通路を設けることが困難であるため、ペン先からの円滑なインキ吐出性が得られないおそれがある（筆跡途切れを生じさせるおそれがある）。【０００９】
本発明は、これらの課題を解決することを目的とするものである。すなわち、本発明の目的は、熱変色性インキを用いるノック式筆記具であって、ペン先からの円滑なインキ吐出性が得られ、しかも、ノック操作の度にペン先を回転させることができるノック式筆記具を提供することである。【００１０】
なお、本明細書において、「前」とは、ペン先側を指し、「後」とは、その反対側を指す。
【課題を解決するための手段】
【００１１】
本発明の第１の態様によれば、前端にペン先が設けられ、内部に熱変色性インキが内蔵され、後端に前記熱変色性インキが内蔵される空間に連通する（途中に追従体が介在していてもよい）空気孔が開口された筆記体と、前記筆記体を、前後方向に移動可能に収容する軸筒と、前記軸筒の外面に設けられ、当該軸筒に対して前後方向に移動可能なノック部材と、前記ノック部材が前方に移動される度に、前記軸筒の前端から前記ペン先を突出または没入させるよう前後に移動すると共に、当該筆記体を回転させる出没回転部材と、前記軸筒内に設けられ、前記ノック部材の位置に応じて前記出没回転部材と係合または係合解除可能なカム部と、を備え、前記筆記体の後端には、周方向に互いに離れて配置された複数の後方に突出する突片が設けられており、前記複数の突片の間の隙間は、前記空気孔と連通しており、前記出没回転部材の前方部に、前記複数の突片の後端が当接する複数の当接部と、当該当接部よりも更に前方に突出する複数の突起部と、が設けられており、前記複数の突起部の各々は、前記複数の突片の間の隙間に挿入されており、前記複数の突起部の各々の前方において、前記隙間の一部が残存していることを特徴とするノック式筆記具が提供される。【００１２】
当該構成によれば、複数の突片の間の隙間を十分に確保することができ、ペン先からの熱変色性インキの吐出に応じた適正な空気の取り込みが可能となり、ペン先から熱変色性インキを円滑に吐出させることができる。【００１３】
例えば、前記軸筒は、前記筆記体を、後方に付勢された状態で、且つ、前後方向に移動可能に収容しており、前記出没回転部材は、前記ノック部材の前後方向の移動に連動して、前後方向に移動するようになっており、前記ノック部材が前方に押圧される度に、当該ノック部材と共に前方に移動して、前記軸筒の前端から前記ペン先を突出または没入させるようになっている。【００１４】
この場合、筆記体を後方に付勢する力がノック部材にも作用するため、ノック部材が自動的に復帰する効果を得ることができ、操作感及び操作性が良い。【００１５】
また、前記複数の突片と前記複数の突起部とは、互いに周方向に係合するようになっており、前記出没回転部材の回転に伴って前記筆記体が回転するようになっていることが好ましい。【００１６】
これにより、簡易な構成でありながら、出没回転部材と筆記体との周方向の係合を確実に達成することができる。【００１７】
また、この場合、更に、前記複数の突片における前記複数の突起部との係合面、及び、前記複数の突起部における前記複数の突片との係合面は、前後方向に略平行に延在していることが好ましい。【００１８】
これによれば、互いの係合面がより効率的に係合するため、出没回転部材と筆記体との周方向の係合をより一層確実に達成することができる。【００１９】
また、前記出没回転部材の前方部には、前記複数の突起部と一体的に、環状補助突起部が連設されていることが好ましい。【００２０】
これによれば、複数の突起部を効果的に補強することができ、複数の突起部の破損等を防止することができる。【００２１】
また、前記環状補助突起部の内側面は、テーパ状の補助当接面となっており、前記筆記体の後端部には、前記補助当接面に当接する補助テーパ部が設けられていることが好ましい。【００２２】
これによれば、テーパ状の補助当接面を利用して、筆記体の後端部を更に安定的に支持することができる。更に、補助当接面及び補助テーパ部がテーパ状であることにより、いわゆる「芯出し」作用を得ることもできる。【００２３】
また、前記複数の突片は、ポリプロピレン樹脂又はポリエチレン樹脂により形成されていることが好ましい。【００２４】
これによれば、複数の突片に十分な強度を持たせることが可能となり、折れや座屈が効果的に防止され、出没回転部材の回転に伴う筆記体の安定した回転が得られる。【００２５】
また、本発明の第２の態様によれば、前端にペン先が設けられ、内部に熱変色性インキが内蔵され、後端に前記熱変色性インキが内蔵される空間に連通する（途中に追従体が介在していてもよい）空気孔が開口された筆記体と、前記筆記体を、前後方向に移動可能に収容する軸筒と、前記軸筒の外面に設けられ、当該軸筒に対して前後方向に移動可能なノック部材と、前記ノック部材が前方に移動される度に、前記軸筒の前端から前記ペン先を突出または没入させるよう前後に移動すると共に、当該筆記体を回転させる出没回転部材と、前記軸筒内に設けられ、前記ノック部材の位置に応じて前記出没回転部材と係合または係合解除可能なカム部と、を備え、前記出没回転部材の前方部には、周方向に互いに離れて配置された複数の前方に突出する突起部が設けられており、前記筆記体の後端に、前記複数の突起部の前端が当接する複数の当接部と、当該当接部よりも更に後方に突出する複数の突片と、が設けられており、前記複数の突片の各々は、前記複数の突起部の間の隙間に挿入されており、前記複数の突片の各々の後方において、前記隙間の一部が残存していることを特徴とするノック式筆記具が提供される。【００２６】
当該構成によれば、複数の突起部の間の隙間を十分に確保することができ、ペン先からの熱変色性インキの吐出に応じた適正な空気の取り込みが可能となり、ペン先から熱変色性インキを円滑に吐出させることができる。【００２７】
また、本発明の第３の態様によれば、前端にペン先が設けられ、内部に熱変色性インキが内蔵され、後端に前記熱変色性インキが内蔵される空間に連通する（途中に追従体が介在していてもよい）空気孔が開口された筆記体と、前記筆記体を、前後方向に移動可能に収容する軸筒と、前記軸筒の外面に設けられ、当該軸筒に対して前後方向に移動可能なノック部材と、前記ノック部材が前方に移動される度に、前記軸筒の前端から前記ペン先を突出または没入させるよう前後に移動すると共に、当該筆記体を回転させる出没回転部材と、前記軸筒内に設けられ、前記ノック部材の位置に応じて前記出没回転部材と係合または係合解除可能なカム部と、を備え、前記出没回転部材の前方部に、前方に突出する複数の突起部が設けられており、前記筆記体の後端には、弾性変形可能な柔軟部材が設けられており、前記柔軟部材は、多孔性の材料から形成されており、前記複数の突起部と前記柔軟部材とは、前記複数の突起部が前記柔軟部材を弾性変形させながら当該柔軟部材の内部に没入することによって互いに周方向に係合するようになっており、前記出没回転部材の回転に伴って前記筆記体が回転するようになっていることを特徴とするノック式筆記具である。【００２８】
当該構成によれば、多孔性の材料から形成された柔軟部材によって通気性を十分に確保することができ、ペン先からの熱変色性インキの吐出に応じた適正な空気の取り込みが可能となり、ペン先から熱変色性インキを円滑に吐出させることができる。また、柔軟部材は、筆記時に筆記体に加わる衝撃や力を吸収することもできるため、柔らかで書き心地の良い筆記感をユーザに提供することもできる。【００２９】
また、本発明の第４の態様によれば、前端にペン先が設けられ、内部に熱変色性インキが内蔵され、後端に前記熱変色性インキが内蔵される空間に連通する（途中に追従体が介在していてもよい）空気孔が開口された筆記体と、前記筆記体を、前後方向に移動可能に収容する軸筒と、前記軸筒の外面に設けられ、当該軸筒に対して前後方向に移動可能なノック部材と、前記ノック部材が前方に移動される度に、前記軸筒の前端から前記ペン先を突出または没入させるよう前後に移動すると共に、当該筆記体を回転させる出没回転部材と、前記軸筒内に設けられ、前記ノック部材の位置に応じて前記出没回転部材と係合または係合解除可能なカム部と、を備え、前記出没回転部材の前方部に、前方に突出する複数の突起部が設けられており、前記筆記体の後端には、弾性変形可能な柔軟部材が設けられており、前記柔軟部材には、前記空気孔に連通すると共に当該柔軟部材の後端または側面において開口された接続空気孔が設けられており、前記複数の突起部と前記柔軟部材とは、前記複数の突起部が前記柔軟部材を弾性変形させながら当該柔軟部材の内部に没入することによって互いに周方向に係合するようになっており、前記出没回転部材の回転に伴って前記筆記体が回転するようになっていることを特徴とするノック式筆記具が提供される。【００３０】
当該構成によれば、接続空気孔を十分に確保することができ、ペン先からの熱変色性インキの吐出に応じた適正な空気の取り込みが可能となり、ペン先から熱変色性インキを円滑に吐出させることができる。【００３１】
また、本発明の第５の態様によれば、前端にペン先が設けられ、内部に熱変色性インキが内蔵され、後端に前記熱変色性インキが内蔵される空間に連通する（途中に追従体が介在していてもよい）空気孔が開口された筆記体と、前記筆記体を、前後方向に移動可能に収容する軸筒と、前記軸筒の外面に設けられ、当該軸筒に対して前後方向に移動可能なノック部材と、前記ノック部材が前方に移動される度に、前記軸筒の前端から前記ペン先を突出または没入させるよう前後に移動すると共に、当該筆記体を回転させる出没回転部材と、前記軸筒内に設けられ、前記ノック部材の位置に応じて前記出没回転部材と係合または係合解除可能なカム部と、を備え、前記筆記体の後端には、周方向に互いに離れて配置された複数の後方に突出する突片が設けられており、前記複数の突片の間の隙間は、前記空気孔と連通しており、前記出没回転部材の前方部に、弾性変形可能な柔軟部材が設けられており、前記柔軟部材は、多孔性の材料から形成されており、前記複数の突片と前記柔軟部材とは、前記複数の突片の後方側の少なくとも一部が前記柔軟部材を弾性変形させながら当該柔軟部材の内部に没入することによって互いに周方向に係合するようになっており、前記出没回転部材の回転に伴って前記筆記体が回転するようになっていることを特徴とするノック式筆記具である。【００３２】
当該構成によれば、多孔性の材料から形成された柔軟部材によって通気性を十分に確保することができ、ペン先からの熱変色性インキの吐出に応じた適正な空気の取り込みが可能となり、ペン先から熱変色性インキを円滑に吐出させることができる。また、柔軟部材は、筆記時に筆記体に加わる衝撃や力を吸収することもできるため、柔らかで書き心地の良い筆記感をユーザに提供することもできる。【００３３】
また、本発明の第６の態様によれば、前端にペン先が設けられ、内部に熱変色性インキが内蔵され、後端に前記熱変色性インキが内蔵される空間に連通する（途中に追従体が介在していてもよい）空気孔が開口された筆記体と、前記筆記体を、前後方向に移動可能に収容する軸筒と、前記軸筒の外面に設けられ、当該軸筒に対して前後方向に移動可能なノック部材と、前記ノック部材が前方に移動される度に、前記軸筒の前端から前記ペン先を突出または没入させるよう前後に移動すると共に、当該筆記体を回転させる出没回転部材と、前記軸筒内に設けられ、前記ノック部材の位置に応じて前記出没回転部材と係合または係合解除可能なカム部と、を備え、前記筆記体の後端には、周方向に互いに離れて配置された複数の後方に突出する突片が設けられており、前記複数の突片の間の隙間は、前記空気孔と連通しており、前記出没回転部材の前方部に、弾性変形可能な柔軟部材が設けられており、前記複数の突片と前記柔軟部材とは、前記複数の突片の後方側の一部が前記柔軟部材を弾性変形させながら当該柔軟部材の内部に没入することによって互いに周方向に係合するようになっており、前記出没回転部材の回転に伴って前記筆記体が回転するようになっていることを特徴とするノック式筆記具である。【００３４】
当該構成によれば、柔軟部材の内部に没入しない部分の複数の突片の間の隙間を十分に確保することができ、ペン先からの熱変色性インキの吐出に応じた適正な空気の取り込みが可能となり、ペン先から熱変色性インキを円滑に吐出させることができる。
【発明の効果】
【００３５】
本発明の第１の態様によれば、複数の突片の間の隙間を十分に確保することができ、ペン先からの熱変色性インキの吐出に応じた適正な空気の取り込みが可能となり、ペン先から熱変色性インキを円滑に吐出させることができる。【００３６】
本発明の第２の態様によれば、複数の突起部の間の隙間を十分に確保することができ、ペン先からの熱変色性インキの吐出に応じた適正な空気の取り込みが可能となり、ペン先から熱変色性インキを円滑に吐出させることができる。【００３７】
本発明の第３の態様によれば、多孔性の材料から形成された柔軟部材によって通気性を十分に確保することができ、ペン先からの熱変色性インキの吐出に応じた適正な空気の取り込みが可能となり、ペン先から熱変色性インキを円滑に吐出させることができる。また、柔軟部材は、筆記時に筆記体に加わる衝撃や力を吸収することもできるため、柔らかで書き心地の良い筆記感をユーザに提供することもできる。【００３８】
本発明の第４の態様によれば、接続空気孔を十分に確保することができ、ペン先からの熱変色性インキの吐出に応じた適正な空気の取り込みが可能となり、ペン先から熱変色性インキを円滑に吐出させることができる。【００３９】
本発明の第５の態様によれば、多孔性の材料から形成された柔軟部材によって通気性を十分に確保することができ、ペン先からの熱変色性インキの吐出に応じた適正な空気の取り込みが可能となり、ペン先から熱変色性インキを円滑に吐出させることができる。また、柔軟部材は、筆記時に筆記体に加わる衝撃や力を吸収することもできるため、柔らかで書き心地の良い筆記感をユーザに提供することもできる。【００４０】
本発明の第６の態様によれば、柔軟部材の内部に没入しない部分の複数の突片の間の隙間を十分に確保することができ、ペン先からの熱変色性インキの吐出に応じた適正な空気の取り込みが可能となり、ペン先から熱変色性インキを円滑に吐出させることができる。
【図面の簡単な説明】
【００４１】
【図１】本発明の第１実施形態のノック式筆記具のペン先没入状態の縦断面図である。
【図２】本発明の第１実施形態のノック式筆記具のペン先突出状態の縦断面図である。
【図３】図１の筆記体の縦断面図である。
【図４】図３の筆記体の後端部の斜視図である。
【図５】図３の筆記体の後端部の平面図である。
【図６】図１の前軸の先口部の正面図である。
【図７】図６のＡ−Ａ線断面図である。
【図８】図１の前軸の本体の正面図である。
【図９】図８のＢ−Ｂ線断面図である。
【図１０】図１の中間軸の縦断面図である。
【図１１】図１の後軸の縦断面図である。
【図１２】図１のノック部材の縦断面図である。
【図１３】図１の出没回転部材の斜視図である。
【図１４】図１の出没回転部材の正面図である。
【図１５】図１４の出没回転部材の底面図である。
【図１６】図１５のＣ−Ｃ線断面図である。
【図１７】熱変色性インキの変色挙動を示す説明図である。
【図１８】回転カム機構の原理を説明する概略図である。
【図１９】出没回転部材と筆記体後端との当接状態を示す縦断面図である。
【図２０】出没回転部材と筆記体後端との当接状態を示す斜視図である。
【図２１】本発明の第１実施形態の変形例についての、図４に対応する図である。
【図２２】本発明の第１実施形態の変形例についての、図１３に対応する図である。
【図２３】本発明の第１実施形態の変形例についての、図１４に対応する図である。
【図２４】本発明の第１実施形態の変形例についての、図１５に対応する図である。
【図２５】図２４のＤ−Ｄ線断面図である。（本発明の第１実施形態の変形例についての、図１６に対応する図である。）
【図２６】本発明の第１実施形態の変形例についての、図１９に対応する図である。
【図２７】本発明の第１実施形態の変形例についての、図２０に対応する図である。
【図２８】本発明の第２実施形態の筆記体の後端部の斜視図である。
【図２９】本発明の第３実施形態の筆記体の後端部の斜視図である。
【図３０】本発明の第３及び第４実施形態の筆記体後端と回転部材との当接状態を示す正面図である。
【図３１】図３０のＥ−Ｅ線断面図である。（本発明の第３及び第４実施形態の筆記体後端と回転部材との当接状態を示す縦断面図である。）
【図３２】本発明の第３実施形態の柔軟部材の断面図である。
【図３３】本発明の第３実施形態の変形例についての、図１９に対応する図である。
【図３４】本発明の第４実施形態の筆記体の後端部の斜視図である。
【図３５】本発明の第４実施形態の柔軟部材の断面図である。
【図３６】本発明の第４実施形態の変形例についての、図１９に対応する図である。
【発明を実施するための形態】
【００４２】
以下、図面を参照して本発明の実施の形態について説明する。
【００４３】
（第１実施形態の構成）
本発明の第１実施形態のノック式筆記具を図１乃至図２０に示す。本実施形態のノック式筆記具１は、軸筒２と、当該軸筒２内に収容される筆記体６と、当該筆記体６のペン先６１を軸筒２の前端孔３１ａより出没自在にさせる出没機構と、を備える。
【００４４】
・筆記体
本実施形態の筆記体６が、図３乃至図５に示されている。図３を参照して、筆記体６は、ペン先６１と、当該ペン先６１が前端開口部に圧入固着されたインキ収容管６２と、当該インキ収容管６２内に充填された熱変色性インキと、当該熱変色性インキの後端側に隣接して充填され当該熱変色性インキの消費に伴って前進する追従体（例えば高粘度流体）と、インキ収容管６２の後端開口部に取り付けられた尾栓６３と、からなる。尾栓６３には、後端に向けて開口する空気孔６３ａが設けられている。空気孔６３ａは、インキ収容管６２の内部と外部とを通気可能としている。
【００４５】
ペン先６１は、例えば、前端に回転可能にボールを抱持した金属製のボールペンチップのみからなる構成、または、そのようなボールペンチップと当該ボールペンチップの後部外面を保持した合成樹脂製のペン先ホルダーとの組合せからなる構成、のいずれかである。ペン先６１の内部には、前端のボールを前方に押圧するスプリングが収容されている。当該スプリングは、例えば、圧縮コイルスプリングの前端部にロッド部を備えた構成となっており、当該ロッド部の前端がボールの後面と接触している。非筆記時には、当該スプリングの前方付勢により、ボールはボールペンチップ前端の内向きの前端縁部内面に密接されている。これにより、ペン先６１の前端からのインキの漏出及びインキの蒸発が防止されている。
【００４６】
そして、本実施形態の筆記体６の後端には、周方向に互いに離れて配置された複数の突片６３ｂが設けられている。
【００４７】
・尾栓
本実施形態の尾栓６３は、合成樹脂（例えば、ポリプロピレン樹脂）の成形体により得られる略円筒状の部材である。図３を参照して、尾栓６３は、前端部の小径部６３ｄと、当該小径部６３ｄより後方側に一体に連設された大径部６３ｅと、当該大径部６３ｅより更に後方側に一体に連設された鍔部６３ｆと、当該鍔部６３ｆより更に後方側に一体に連設された複数の突片６３ｂと、を有している。
【００４８】
尾栓６３の大径部６３ｅの外面には、環状の外向突起６３ｐ（図１９参照）が形成されている。インキ収容管６２に取り付けられる際、当該環状の外向突起６３ｐが、インキ収容管６２の後端部の内面に環状に圧入嵌合される。また、この際、鍔部６３ｆの前面がインキ収容管６２の後端に当接される（図１９参照）。
【００４９】
また、尾栓６３には、軸方向（前後方向）に空気孔６３ａが貫通されている。そして、各々の突片６３ｂの間には、切り欠き状のパターンで隙間６３ｃが形成されていて、当該隙間６３ｃが空気孔６３ａと径方向に連通されている。これらの隙間６３ｃ及び空気孔６３ａによって、インキ収容管６２の内部と外部とが空気流通可能となっている。
【００５０】
なお、複数の突片６３ｂの各々は、鍔部６３ｆの後方側に一体的に形成される態様に限定されず、互いに別体に構成されてから結合等されてもよい。
【００５１】
・軸筒
本実施形態の軸筒２は、先細円筒状の前軸３と、当該前軸３の後端部に連結される円筒状の中間軸４と、当該中間軸４の後端部に連結される円筒状の後軸５と、からなる。
【００５２】
・前軸
本実施形態の前軸３は、先細状の金属材料からなる先口部３１（図６及び図７参照）と、当該先口部３１の後端に接続された合成樹脂（例えば、ポリカーボネート樹脂）の成形体からなる円筒状の本体３２（図８及び図９参照）と、当該本体３２の外面上に設けられた弾性材料からなる把持部３３（図８及び図９参照）と、からなる。
【００５３】
先口部３１と本体３２とは、螺着によって結合される。例えば、先口部３１の後端部の内面に雌ネジ部が形成され、本体３２の前端部（縮径部）の外面に雄ネジ部が形成され、それらの雌ネジ部及び雄ネジ部が着脱自在に螺着される。
【００５４】
把持部３３は、本体３２の外面上に、例えば２色成形によって形成されるか、あるいは、別途に構成された後で装着される。
【００５５】
図９を参照して、前軸３の後端部（本体３２の後端部）は縮径されており、その外面に雄ネジ部が形成されている。当該雄ネジ部が、中間軸４の前端部の内面に形成された雌ネジ部と着脱自在に螺着される。
【００５６】
一方、図６及び図７を参照して、前軸３の前端部（先口部３１の前端部）には、前端孔３１ａが前後方向に貫設されている。
【００５７】
・中間軸
図１０を参照して、本実施形態の中間軸４は、略円筒状の合成樹脂（例えば、ポリカーボネート樹脂）の成形体からなる。中間軸４の前端部の内面には、雌ネジ部が形成されており、当該雌ネジ部が前軸３の後端部の雄ネジ部と螺合可能となっている。中間軸４の後端部には、縮径部が一体に形成されている。
【００５８】
当該縮径部には、前後方向に延びる第１の長孔４１が設けられている。第１の長孔４１の前端は、中間軸４の側壁によって閉鎖されている一方、第１の長孔４１の後端は、中間軸４の後端まで延びている（中間軸４の後端において開放されている）。
【００５９】
さらに、縮径部の外面には、外向突起４４が一体に形成されている。縮径部より前方の中間軸４の内面には、段部４２が一体に形成されている。
【００６０】
そして、段部４２より更に前方の中間軸４の内面に、カム部４３が一体に形成されている。カム部４３は、前方に突出する鋸歯状の複数のカム歯４３ａと、当該カム歯４３ａの間に形成される前後方向に延びる複数のカム溝４３ｂと、を有している。
【００６１】
また、第１の長孔４１の前端は、段部４２（カム部４３の後端）よりも僅かに前方に位置しており、且つ、カム部４３のカム歯４３ａよりも後方に位置している。
【００６２】
・後軸
図１１を参照して、本実施形態の後軸５は、略円筒状の合成樹脂（例えば、ポリカーボネート樹脂）の成形体からなる。後軸５の前端部の側壁には、第２の長孔５１が形成されている。第２の長孔５１の後端は、後軸５の側壁によって閉鎖されている一方、第２の長孔５１の前端は、後軸５の前端まで延びている（後軸５の前端において開放されている）。
【００６３】
また、後軸５の後端部には、取付孔５２が前後方向に貫設されている。当該取付孔５２に、弾性材料からなる摩擦部５３が圧入嵌合されている。これにより、後軸５の後端部の外面に、摩擦部５３が固定されている。また、後軸５の内面には、内向突起５４が一体に形成されている。
【００６４】
摩擦部５３を構成する弾性材料は、例えば、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）又は２種以上のゴム弾性材料の混合物、及び、ゴム弾性材料と合成樹脂との混合物等が挙げられる。
【００６５】
摩擦部５３を構成する弾性を有する合成樹脂は、高摩耗性の弾性材料（例えば、消しゴム等）ではなく、摩擦時に摩耗カス（消しカス）が殆ど生じない低摩耗性の弾性材料からなることが好ましい。また、摩擦部５３は、様々な態様で軸筒２の後端部外面に設けられ得る。例えば、軸筒２の後端部の外面もしくは後軸５の後端部の外面に弾性材料よりなる摩擦部５３を圧入、係合、螺合、嵌合、接着、２色成形等によって設ける態様の他、軸筒２の全体もしくは後軸５の全体を弾性材料によって一体に形成する態様でもよい。
【００６６】
なお、第２の長孔５１の幅寸法は、第１の長孔４１の幅寸法と等しく設定されている。これにより、後述されるように、スライド孔２１（＝第１の長孔４１＋第２の長孔５１）に沿ったノック部材８の前後方向のスムーズな移動が可能となっている。摩擦部５３は、ノック部材８の前後方向の移動には連動しない。
【００６７】
・ノック部材
図１、図２及び図１２を参照して、本実施形態のノック部材８には、前後方向に延びるクリップ８３が固定されている。クリップ８３の裏面には、玉部８３ａが突設されている。ノック部材８は、クリップ８３の後端部が固定される基部８１と、当該基部８１と一体に連設され且つ当該基部８１より前方に延びる円筒状の軸部８２と、からなる。
【００６８】
ノック部材８は、例えば合成樹脂（例えば、ポリカーボネート樹脂）の成形体により得られる。クリップ８３は、例えば金属材料（例えばステンレス鋼）から得られる。
【００６９】
図１２に示すように、軸部８２の前端には、出没回転部材７の突条７１の後端（図１３乃至図１６参照）と係合するカム歯８２ａが一体に形成されている。
【００７０】
ここで、ノック部材８の組付けについて説明する。ノック部材８の基部８１を、中間軸４の第１の長孔４１の後端（開放部）より、当該第１の長孔４１内へと挿入すると共に、ノック部材８の軸部８２を中間軸４内に挿入する。その後、中間軸４の第１の長孔４１と後軸５の第２の長孔５１とが径方向に連通するように（径方向に重なるように）、後軸５の内面を中間軸４の縮径部の外面に嵌合させながら、ノック部材８の基部８１を、後軸５の第２の長孔５１の前端（開放部）より、当該第２の長孔５１内へと挿入する。これにより、中間軸４と後軸５とが連結される（中間軸４の外向突起４４と後軸５の内向突起５４とが乗り越え係合される）と共に、第１の長孔４１と第２の長孔５１とによって前後方向に延びるスライド孔２１が形成され、当該スライド孔２１から径方向外方にノック部材８が突出された状態となる。ノック部材８は、スライド孔２１に沿って、前後方向にスライド可能（前後方向に摺動可能）となっている。
【００７１】
後端に摩擦部５３が固定された後軸５が、中間軸４の後端部に連結されることによって、摩擦部５３は軸筒２の後端に常時固定された状態となる。また、前軸３と中間軸４とが螺合によって着脱自在に連結されているため、筆記体６は随時に交換可能である。
【００７２】
・出没機構
本実施形態の出没機構は、回転カム機構を用いたサイドスライド式出没機構であり、前述のノック部材８と、ノック部材８が前方に移動される度に軸筒２の前端孔３１ａからペン先６１を突出または没入させるよう前後に移動すると共に筆記体６（従ってペン先６１）を回転させる出没回転部材７（後述される）と、軸筒２内に設けられノック部材８の位置に応じて出没回転部材７と係合または係合解除可能な前述のカム部４３と、軸筒２内に設けられ且つ筆記体６を後方に付勢する弾発体９（例えば圧縮コイルスプリング）と、からなる。
【００７３】
本実施の形態の出没機構は、ペン先突出操作及びペン先没入操作のいずれもがノック部材８を前方に押圧操作（前方にスライド操作）するダブルノック式である。
【００７４】
・出没回転部材
図１３乃至図１６を参照して、本実施形態の出没回転部材７は、その外面に前後方向に延びる複数本（例えば４本）の突条７１を有する大径の前部と、当該前部の後方に一体に連設された有底略円筒状の小径の後部と、を有する。複数本の突条７１の各々は、カム部４３のカム歯４３ａ及びカム部４３のカム溝４３ｂと係合可能となっている。
【００７５】
出没回転部材７は、例えば合成樹脂（例えばポリアセタール樹脂）の成形体により得られる。また、出没回転部材７の後部外面には、外向突起７８が形成されており、当該外向突起７８は、ノック部材８の軸部８２の内面の内向突起８８と乗り越え係合している。これにより、ノック部材８と出没回転部材７の抜け止めがなされる一方で、出没回転部材７はノック部材８に対して前後方向の「あそび」（移動可能量）を有することができ、且つ、ノック部材と出没回転部材７とは周方向には互いに回転可能となっている。前後方向の「あそび」は、出没回転部材７の突条７１とカム歯８２ａとの係脱が可能な程度の小さい寸法（カム歯８２ａの山部と谷部との高さの差（軸方向距離）：図１８参照）に設定されている。
【００７６】
そして、出没回転部材７の前面には、前方に突出された複数（例えば３個）の突起部７２が一体に形成されている。突起部７２は、放射状に、すなわち、周方向に等間隔に、配置されている。
【００７７】
また、出没回転部材７の前面には、環状補助突起部７４も一体に形成されている。環状補助突起部７４の径方向内面は、複数の突起部７２の各々の径方向外端部と一体に連設されている。
【００７８】
更に、環状補助突起部７４の内側面は、テーパ状の補助当接面７４ｔとなっており、突片６３ｂの後端部には、補助当接面７４ｔに当接する補助テーパ部６３ｔが設けられている（図４参照）。このような構成によって、テーパ状の補助当接面７４ｔを利用して、突片６３ｂを更に安定的に支持することができる。更に、補助当接面７４ｔ及び補助テーパ部６３ｔがテーパ状であることにより、いわゆる「芯出し」作用を得ることもできる。
【００７９】
そして、出没回転部材７の前面には、平面状（前後方向に対して垂直な面状）の複数の（例えば３領域の）当接部７３が形成されている。各当接部７３は、環状補助突起部７４の径方向内方であって且つ複数の突起部７２の間に形成されている。当該当接部７３に、尾栓６３の突片６３ｂの後端が当接されている。一方、突起部７２の各々が、尾栓６３の突片６３ｂの間の隙間６３ｃに挿入されている。突起部７２の軸方向の長さは、突片６３ｂの軸方向の長さよりも小さく形成されている。これにより、突起部７２の各々の前方において、隙間６３ｃの一部が残存していて、空気孔６３ａを介してのインキ収容管６２への十分な空気取り込みを許容している。
【００８０】
また、突起部７２の各々の頂部（前端部）は、凸曲面（例えば断面半円形の筒状（かまぼこ状））となっている。これにより、筆記体６が軸筒２内に挿入される際に突起部７２の頂部が突片６３ｂの後端に接触したとしても、筆記体６の回転が円滑に促され、突起部７２が突片６３ｂの間へとスムーズに案内され得る。
【００８１】
また、突起部７２の周方向の幅寸法は、尾栓６３の突片６３ｂの間の隙間６３ｃの周方向の幅寸法より小さく設定されている。これにより、突起７２の側面と突片６３ｂの側面との間においても空気通路が形成されている。
【００８２】
なお、本実施形態では、環状補助突起部７４の前端と突起部７２の前端とは、軸方向に略同じ位置に配置されているが、突起部７２の前端を環状補助突起部７４の前端よりも前方に位置させてもよい。
【００８３】
・熱変色性インキ
本実施形態において、熱変色性インキは、可逆熱変色性インキであることが好ましい。可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００８４】
可逆熱変色性インキに含有される色材としては、例えば、（イ）電子供与性呈色性有機化合物、（ロ）電子受容性化合物、及び、（ハ）前記両者が化学的に結びつく反応（呈色反応）の生起温度を決める反応媒体、の必須三成分を少なくとも含む可逆熱変色性組成物をマイクロカプセル中に内包させた可逆熱変色性顔料が好適に用いられる。
【００８５】
図１７は、本実施形態の熱変色性インキについて、温度変化による着色濃度の変化をプロットしたグラフである。図１７に示すように、本実施形態の熱変色性インキにおいては、温度を変色温度域より低温側から上昇させていく場合と、温度を逆に変色温度域より高温側から下降させていく場合とで、異なる経路を辿って変色する。
【００８６】
より詳細には、完全発色温度（ｔ１）以下の低温域での発色状態、または、完全消色温度（ｔ４）以上の高温域での消色状態が、特定温度域（ｔ２〜ｔ３：実質的二相保持温度域と呼ばれる）において記憶保持できるようになっている。このような性質を有するインキは、色彩記憶保持型熱変色性インキと呼ばれる。
【００８７】
また、図１７におけるΔＨが、ヒステリシスの程度を示す温度幅（即ちヒステリシス幅）を示している。ΔＨの値が小さいと、変色前後の各状態を保持することが難しく、ΔＨの値が大きいと、変色前後の各状態を保持することが容易である。
【００８８】
本実施形態の熱変色性インキは、摩擦部５３の摩擦熱によって変色することを想定しており、完全消色温度（高温側変色点：ｔ４）を２５℃〜９５℃（好ましくは、３６℃〜９０℃）の範囲に設定する一方、完全発色温度（低温側変色点：ｔ１）を−３０℃〜＋２０℃（好ましくは、−３０℃〜＋１０℃）の範囲に設定している。これにより、常態（日常の生活温度域）で呈する色彩を、有効に保持することができる。従って、可逆熱変色性インキによる筆跡を、摩擦部５３による摩擦熱で、容易に変色させることができる。
【００８９】
（第１実施形態の作用：ペン先の出没機能）
図１８は、回転カム機構の原理を説明する概略図である。図１８を参照して、ペン先没入状態（図１８（ａ）参照）からノック部材８が弾発体９による後方付勢に抗して前方に押圧操作（スライド操作）されると、ノック部材８の軸部８２の前端のカム歯８２ａを介して、当該カム歯８２ａに係合していた出没回転部材７の突条７１が前方に押圧される。出没回転部材７の突条７１は、カム溝４３ｂに沿って、前方に移動されていく。
【００９０】
出没回転部材７の突条７１が前方に移動される際、当該出没回転部材７は、当接部７３と尾栓６３の突片６３ｂとの当接関係を介して、筆記体６を前方に押圧する。そして、ペン先６１を前端孔３１ａより外部に突出させる。
【００９１】
ノック部材８のノック操作の最深位置において、突条７１の後端は、カム部４３のカム溝４３ｂを抜け出て、ノック部材８のカム歯８２ａの谷部に落ち込むように移動し、これに伴って出没回転部材７は僅かに周方向に回転する（図１８（ｂ）参照）。
【００９２】
引き続いて、弾発体９による後方付勢によってノック部材８が元の位置に戻ると、突条７１の後端は、カム部４３のカム歯４３ａの谷部に落ち込むように移動し、これに伴って出没回転部材７は更に周方向に回転する（図１８（ｃ）参照）。また、突条７１の後端は、カム部４３のカム歯４３ａの谷部の位置に留まるため、ペン先突出状態が維持される。
【００９３】
次に、ペン先突出状態（図１８（ｃ）参照）からノック部材８が前方に押圧操作（スライド操作）されると、ノック部材８の軸部８２の前端のカム歯８２ａによって再び出没回転部材７の突条７１の後端が係合されて前方に押圧される。
【００９４】
ノック部材８のノック操作の最深位置において、突条７１の後端は、カム部４３のカム歯４３ａの山部（歯）を乗り越え、ノック部材８のカム歯８２ａの谷部に落ち込むように移動し、これに伴って、出没回転部材７は僅かに周方向に回転する（図１８（ｄ）参照）。また、引き続いて、弾発体９による後方付勢によってノック部材８が元の位置に戻ると、突条７１は、カム溝４３ｂ内に導入され、ペン先没入状態が維持される（図１８（ａ）参照）。
【００９５】
（第１実施形態の作用：ペン先の回転機能）
図１９及び図２０に、尾栓６３の突片６３ｂと出没回転部材７の当接部７３との当接状態が示されている。
【００９６】
出没回転部材７の前面の当接部７３が、筆記体６の後端の尾栓６３の突片６３ｂに当接されると共に、出没回転部材７の前面の複数の突起部７２が、筆記体６の後端の尾栓６３の突片６３ｂの間の隙間６３ｃに挿入されて、周方向に係合されている。これにより、出没回転部材７の周方向の回転に伴って、筆記体６も周方向に回転される。
【００９７】
ここで、尾栓６３の突片６３ｂの係合面６３ｇ（突片６３ｂの周方向の側面）と出没回転部材７の突起部７２の係合面７２ａ（突起部７２の周方向の側面）とが、何れも前後方向（軸方向）に略平行に延在しているため、出没回転部材７と筆記体６との周方向の係合をより一層確実に達成することができる。
【００９８】
突片６３ｂの間の隙間６３ｃの周方向の幅寸法は、突起部７２の周方向の幅寸法より大きく設定される。例えば、突片６３ｂの間の隙間６３ｃの周方向の幅寸法は１．５ｍｍに設定され得て、突起部７２の周方向の幅寸法は、０．７ｍｍに設定され得る。
【００９９】
また、突起部７２の軸方向の突出長さ（突起部７２が当接部７３から前方に突出する軸方向の長さ）は、０．５ｍｍ以上２．５ｍｍ以下であることが好ましい。また、突片６３ｂの軸方向の突出長さ（突片６３ｂの後端（先端）から突片６３ｂの基端までの軸方向の長さ）は、２ｍｍ以上５ｍｍ以下であることが好ましい。これらの条件が満たされる場合、突起部７２と突片６３ｂとの更に確実な係合が得られる。
【０１００】
（第１実施形態の作用：適正な空気の取り込み）
一方、突片６３ｂの軸方向の突出長さと突起部７２の軸方向の突出長さとの差は、１ｍｍ以上であることが好ましい。これにより、突起部７２の各々の前方において、隙間６３ｃが残存されるため、空気孔６３ａを介してのインキ収容管６２への十分な空気取り込みが保証される。これにより、ペン先６１からの熱変色性インキの吐出に応じた適正な空気の取り込みが可能となり、ペン先６１から熱変色性インキを円滑に吐出させることができる。
【０１０１】
（第１実施形態による効果）
以上のような本実施形態のノック式筆記具１は、前端にペン先６１が設けられ、内部に熱変色性インキが内蔵され、後端に前記熱変色性インキが内蔵される空間に連通する空気孔６３ａが開口された筆記体６と、前記筆記体６を、前後方向に移動可能に収容する軸筒２と、前記軸筒２の外面に設けられ、当該軸筒２に対して前後方向に移動可能なノック部材８と、前記ノック部材８が前方に移動される度に、前記軸筒２の前端から前記ペン先６１を突出または没入させるよう前後に移動すると共に、当該筆記体６を回転させる出没回転部材７と、前記軸筒２内に設けられ、前記ノック部材８の位置に応じて前記出没回転部材７と係合または係合解除可能なカム部４３と、を備えており、前記筆記体６の後端には、周方向に互いに離れて配置された複数の後方に突出する突片６３ｂが設けられており、前記複数の突片６３ｂの間の隙間６３ｃは、前記空気孔６３ａと連通しており、前記出没回転部材７の前方部に、前記複数の突片６３ｂの後端が当接する複数の当接部７３と、当該当接部７３よりも更に前方に突出する複数の突起部７２と、が設けられており、前記複数の突起部７２の各々は、前記複数の突片６３ｂの間の隙間６３ｃに挿入されており、前記複数の突起部７２ｂの各々の前方において、前記隙間６３ｃの一部が残存している。
【０１０２】
このような構成によって、複数の突片６３ｂの間の隙間６３ｃを十分に確保することができ、ペン先６１からの熱変色性インキの吐出に応じた適正な空気の取り込みが可能となり、ペン先６１から熱変色性インキを円滑に吐出させることができる。
【０１０３】
また、本実施形態のノック式筆記具１によれば、前記軸筒２は、前記筆記体６を、後方に付勢された状態で、且つ、前後方向に移動可能に収容しており、前記出没回転部材７は、前記ノック部材８の前後方向の移動に連動して、前後方向に移動するようになっており、前記ノック部材８が前方に押圧される度に、当該ノック部材８と共に前方に移動して、前記軸筒２の前端から前記ペン先６１を突出または没入させるようになっている。
【０１０４】
このような構成によって、筆記体６を後方に付勢する力がノック部材８にも作用するため、ノック部材８が自動的に復帰する効果を得ることができ、操作感及び操作性が良い。
【０１０５】
また、本実施形態のノック式筆記具１によれば、前記複数の突片６３ｂと前記複数の突起部７２とは、互いに周方向に係合するようになっており、前記出没回転部材７の回転に伴って前記筆記体６が回転するようになっている。
【０１０６】
このような構成によって、簡易な構成でありながら、出没回転部材７と筆記体６との周方向の係合を確実に達成することができる。
【０１０７】
更に、本実施形態のノック式筆記具１によれば、前記複数の突片６３ｂにおける前記複数の突起部７２との係合面６３ｇ、及び、前記複数の突起部７２における前記複数の突片６３ｂとの係合面７２ａは、前後方向に略平行に延在している。
【０１０８】
このような構成によって、互いの係合面がより効率的に係合するため、出没回転部材７と筆記体６との周方向の係合をより一層確実に達成することができる。
【０１０９】
また、本実施形態のノック式筆記具１によれば、前記出没回転部材７の前方部に、前記複数の突起部７２と一体的に、環状補助突起部７４が連設されている。
【０１１０】
このような構成によって、複数の突起部７２を効果的に補強することができ、複数の突起部７２の破損等を防止することができる。
【０１１１】
更に、本実施形態のノック式筆記具１によれば、前記環状補助突起部７４の内側面は、テーパ状の補助当接面７４ｔとなっており、前記筆記体６の後端部（突片６３ｂの後端部）には、前記補助当接面７４ｔに当接する補助テーパ部６３ｔが設けられている。
【０１１２】
このような構成によって、テーパ状の補助当接面７４ｔを利用して、筆記体６の後端部を更に安定的に支持することができる。更に、補助当接面７４ｔ及び補助テーパ部６３ｔがテーパ状であることにより、いわゆる「芯出し」作用を得ることもできる。
【０１１３】
また、本実施形態のノック式筆記具１によれば、前記複数の突片６３ｂは、ポリプロピレン樹脂又はポリエチレン樹脂により形成されている。
【０１１４】
このような構成によって、複数の突片６３ｂに十分な強度を持たせることが可能となり、折れや座屈が効果的に防止され、出没回転部材７の回転に伴う筆記体の安定した回転が得られる。
【０１１５】
なお、本実施形態の変形例として、ノック部材８は、軸筒２の後端より後方に突出された構成であってもよい。
【０１１６】
（第１実施形態の変形例）
第１実施形態では、突片６３ｂの軸方向の突出長さを、突起部７２の軸方向の突出長さよりも長くしている。しかしながら、突起部７２の軸方向の突出長さを、突片６３ｂの軸方向の突出長さより長くしてもよい。この場合、突片６３ｂの各々の後方において、隙間７２ｃが残存されることになり、やはり空気孔６３ａを介してのインキ収容管６２への十分な空気取り込みが保証される。
【０１１７】
このような変形例について、図２１乃至図２７に示す。図２１は、当該変形例についての図４に対応する図であり、図２２乃至図２５は、当該変形例についての図１３乃至図１６に対応する図であり、図２６及び図２７は、当該変形例についての図１９及び図２０に対応する図である。
【０１１８】
図２１乃至図２７に示すように、当該変形例のノック式筆記具も、第１実施形態のノック式筆記具１と同様に、前端にペン先６１が設けられ、内部に熱変色性インキが内蔵され、後端に前記熱変色性インキが内蔵される空間に連通する空気孔６３ａが開口された筆記体６と、前記筆記体６を、前後方向に移動可能に収容する軸筒２と、前記軸筒２の外面に設けられ、当該軸筒２に対して前後方向に移動可能なノック部材８と、前記ノック部材８が前方に移動される度に、前記軸筒２の前端から前記ペン先６１を突出または没入させるよう前後に移動すると共に、当該筆記体６を回転させる出没回転部材７と、前記軸筒２内に設けられ、前記ノック部材８の位置に応じて前記出没回転部材７と係合または係合解除可能なカム部４３と、を備えており、前記出没回転部材７の前方部には、周方向に互いに離れて配置された複数の前方に突出する突起部７２が設けられている。
【０１１９】
一方、当該変形例では、前記筆記体６の後端に、前記複数の突起部７２の前端が当接する複数の当接部６３ｖと、当該当接部６３ｖよりも更に後方に突出する複数の突片６３ｂと、が設けられている。そして、前記複数の突片６３ｂの各々は、前記複数の突起部７２の間の隙間７２ｃに挿入されており、前記複数の突片６３ｂの各々の後方において、前記隙間７２ｃの一部が残存している。
【０１２０】
本実施形態のその他の構成については、図１乃至図２０を用いて説明した第１実施形態と略同様である。図２１乃至図２７において、第１実施形態と同様の部分については、同様の符号を付している。また、本実施形態の第１実施形態と同様の部分については、詳しい説明を省略する。
【０１２１】
当該変形例によれば、複数の突起部７２の間の隙間７２ｃを十分に確保することができ、ペン先からの熱変色性インキの吐出に応じた適正な空気の取り込みが可能となり、ペン先から熱変色性インキを円滑に吐出させることができる。
【０１２２】
なお、この場合も、突片６３ｂの軸方向の突出長さと突起部７２の軸方向の突出長さとの差は、１ｍｍ以上であることが好ましい。
【０１２３】
（第２実施形態の構成）
続いて、図２８は、本発明の第２実施形態の筆記体６の後端部の斜視図である。
【０１２４】
図２８に示すように、本実施形態の筆記体は、尾栓を有しておらず、インキ収容管６２の後端に複数の突片６３ｂが一体に形成されている。また、インキ収容管６２の後端に、インキ収容管６２の内部と外部とを通気可能な空気孔６３ａが開口されている。
【０１２５】
突片６３ｂの間には、切り欠き状の隙間６３ｃが形成されており、各隙間６３ｃは、空気孔６３ａと径方向に連通されている。隙間６３ｃ及び空気孔６３ａによって、インキ収容管６２の内部と外部とが空気流通可能となっている。
【０１２６】
本実施形態のその他の構成については、図１乃至図２０を用いて説明した第１実施形態と略同様である。図２８において、第１実施形態と同様の部分については、同様の符号を付している。また、本実施形態の第１実施形態と同様の部分については、詳しい説明を省略する。
【０１２７】
本実施形態によれば、突片６３ｂがインキ収容管６２の後端に一体に形成されているため、出没回転部材７の回転に伴う筆記体６のより確実な回転が得られる。また、部品点数を減らすことが可能となり、生産性が向上する。
【０１２８】
突片６３ｂをインキ収容管６２と一体に形成する好適な方法は、インキ収容管６２の後端部を切削加工することである。これにより、突片６３ｂの形状を確実に形成することができ、出没回転部材７の回転に伴う筆記体６のより確実な回転が得られる。
【０１２９】
突片６３ｂをインキ収容管６２と一体に形成する好適な別の方法は、インキ収容管６２を射出成形により形成することである。これにより、突片６３ｂの形状を確実に形成することができ、出没回転部材７の回転に伴う筆記体６のより確実な回転が得られる。また、インキ収容管６２の射出成形と同時にインキ収容管６２の後端に突片６３ｂを一体に形成できるため、生産性が向上する。
【０１３０】
（第３実施形態の構成）
続いて、図２９は、本発明の第３実施形態の筆記体６の後端部の斜視図であり、図３０は、出没回転部材７と第３実施形態の筆記体６の後端との当接状態を示す正面図であり、図３１は、図３０のＥ−Ｅ線断面図である。
【０１３１】
本実施形態のノック式筆記具も、第１実施形態のノック式筆記具１と同様に、前端にペン先６１が設けられ、内部に熱変色性インキが内蔵され、後端に前記熱変色性インキが内蔵される空間に連通する空気孔６３ａが開口された筆記体６と、前記筆記体６を、前後方向に移動可能に収容する軸筒２と、前記軸筒２の外面に設けられ、当該軸筒２に対して前後方向に移動可能なノック部材８と、前記ノック部材８が前方に移動される度に、前記軸筒２の前端から前記ペン先６１を突出または没入させるよう前後に移動すると共に、当該筆記体６を回転させる出没回転部材７と、前記軸筒２内に設けられ、前記ノック部材８の位置に応じて前記出没回転部材７と係合または係合解除可能なカム部４３と、を備えており、出没回転部材７の前方部に、前方に突出する複数の突起部７２が設けられている。
【０１３２】
一方、本実施形態では、筆記体６の後端に（空気孔６３ａを覆うように）、弾性変形可能な柔軟部材６４が設けられており、当該柔軟部材６４は、多孔性の材料（例えばスポンジ等の多孔質体）から形成された円柱状部材である。筆記体６は、尾栓６３を有しておらず、突片６３ｂも有していない。
【０１３３】
柔軟部材６４は、多孔性であることによって、（多数の小さい）通気孔６４ａを提供している。また、柔軟部材６４は、図３２に示すように、例えば、前方側が細径部６４ｄとなっており、中央部が小径部６４ｅとなっており、後方側が大径部６４ｆとなっており、インキ収容管６２に取り付けられた状態において、小径部６４ｅの外面がインキ収容管６２の後端部の内面に圧入嵌合されるとともに、大径部６４ｆの前面がインキ収容管６２の後端に当接されている。通気孔６４ａによって、インキ収容管６２の内部と外部とは空気流通可能となっている。
【０１３４】
そして、前記複数の突起部７２と前記柔軟部材６４とは、弾発体９の付勢力によって前記複数の突起部７２が前記柔軟部材６４を弾性変形させながら当該柔軟部材６４の内部に没入する（図３０及び図３１参照）ことによって互いに周方向に係合するようになっており、前記出没回転部材７の回転に伴って前記筆記体６が回転するようになっている。
【０１３５】
本実施形態のその他の構成については、図１乃至図２０を用いて説明した第１実施形態と略同様である。図２９乃至図３１において、第１実施形態と同様の部分については、同様の符号を付している。また、本実施形態の第１実施形態と同様の部分については、詳しい説明を省略する。
【０１３６】
本実施形態によれば、多孔性の材料から形成された柔軟部材６４によって通気性を十分に確保することができ、ペン先６１からの熱変色性インキの吐出に応じた適正な空気の取り込みが可能となり、ペン先６１から熱変色性インキを円滑に吐出させることができる。また、柔軟部材６４は、筆記時に筆記体６に加わる衝撃や力を吸収することもできるため、柔らかで書き心地の良い筆記感をユーザに提供することもできる。
【０１３７】
また、本実施形態によれば、柔軟部材６４の弾性変形によって柔軟部材６４と突起部７２とが周方向に確実に係合されるため、出没回転部材７の回転に伴う筆記体６の確実な回転が得られる。
【０１３８】
更に、本実施形態によれば、柔軟部材６４の弾性が、例えば柔軟部材６４が下側の姿勢で筆記体６が落下した場合等において、筆記体６を衝撃から保護することができる。
【０１３９】
本実施形態において、柔軟部材６４は、インキ収容管６２の後端に一体的に形成されてもよい。柔軟部材６４をインキ収容管６２と一体的に形成する方法としては、接着、溶着、インサート成形等が挙げられる。
【０１４０】
（第３実施形態の変形例）
第３実施形態では、第１実施形態と同様の出没回転部材７を用いて、筆記体６の後端部に柔軟部材６４を設けているが、図３３に示すように、第１実施形態と略同様の突片６３ｂ’を用いて、出没回転部材７’の前方部に柔軟部材を設けてもよい。
【０１４１】
このようなノック式筆記具も、第１実施形態のノック式筆記具１と同様に、前端にペン先６１が設けられ、内部に熱変色性インキが内蔵され、後端に前記熱変色性インキが内蔵される空間に連通する空気孔６３ａ’が開口された筆記体６と、前記筆記体６を、前後方向に移動可能に収容する軸筒２と、前記軸筒２の外面に設けられ、当該軸筒２に対して前後方向に移動可能なノック部材８と、前記ノック部材８が前方に移動される度に、前記軸筒２の前端から前記ペン先６１を突出または没入させるよう前後に移動すると共に、当該筆記体６を回転させる出没回転部材７’と、前記軸筒２内に設けられ、前記ノック部材８の位置に応じて前記出没回転部材７’と係合または係合解除可能なカム部４３と、を備えている。
【０１４２】
当該変形例では、第１実施形態と略同様に、筆記体６の後端の鍔部６３ｆ’の更に後方に、周方向に互いに離れて配置された複数の後方に突出する突片６３ｂ’が設けられており、前記複数の突片６３ｂ’の間の隙間６３ｃ’は、前記空気孔６３ａ’と連通している。但し、突片６３ｂ’の長さは第１実施形態の突片６３ｂ（図１９参照）の長さより短く、それに応じて隙間６３ｃ’の長さも第１実施形態の隙間６３ｃ（図１９参照）の長さより短くなっている（代わりに鍔部６３ｆ’の長さが第１実施形態の鍔部６３ｆ（図１９参照）の長さより長くなっている）。
【０１４３】
一方、当該変形例では、前記出没回転部材７’の前方部に、環状突起部７４’内に収容されるように、弾性変形可能な柔軟部材７９’が設けられる。当該柔軟部材７９’は、例えば、多孔性の材料（例えばスポンジ等の多孔質体）から形成される。
【０１４４】
そして、前記複数の突片６３ｂ’と前記柔軟部材７９’とは、弾発体９の付勢力によって前記複数の突片６３ｂ’の後方側の少なくとも一部（図３３の例では全部）が前記柔軟部材７９’を弾性変形させながら当該柔軟部材７９’の内部に没入することによって互いに周方向に係合するようになっており、前記出没回転部材７’の回転に伴って前記筆記体６が回転するようになっている。
【０１４５】
このような変形例によっても、多孔性の材料から形成された柔軟部材７９’によって通気性を十分に確保することができ、ペン先６１からの熱変色性インキの吐出に応じた適正な空気の取り込みが可能となり、ペン先６１から熱変色性インキを円滑に吐出させることができる。また、柔軟部材は、筆記時に筆記体６に加わる衝撃や力を吸収することもできるため、柔らかで書き心地の良い筆記感をユーザに提供することもできる。
【０１４６】
また、このような変形例によっても、柔軟部材７９’の弾性変形によって柔軟部材７９’と突片６３ｂ’とが周方向に確実に係合されるため、出没回転部材７’の回転に伴う筆記体６の確実な回転が得られる。
【０１４７】
更に、このような変形例によっても、柔軟部材７９’の弾性が、例えば柔軟部材７９’が下側の姿勢で筆記体６が落下した場合等において、筆記体６を衝撃から保護することができる。
【０１４８】
（第４実施形態の構成）
続いて、図３４は、本発明の第４実施形態の筆記体の後端部の斜視図である。
【０１４９】
本実施形態のノック式筆記具も、第１実施形態のノック式筆記具１と同様に、前端にペン先６１が設けられ、内部に熱変色性インキが内蔵され、後端に前記熱変色性インキが内蔵される空間に連通する空気孔６３ａが開口された筆記体６と、前記筆記体６を、前後方向に移動可能に収容する軸筒２と、前記軸筒２の外面に設けられ、当該軸筒２に対して前後方向に移動可能なノック部材８と、前記ノック部材８が前方に移動される度に、前記軸筒２の前端から前記ペン先６１を突出または没入させるよう前後に移動すると共に、当該筆記体６を回転させる出没回転部材７と、前記軸筒２内に設けられ、前記ノック部材８の位置に応じて前記出没回転部材７と係合または係合解除可能なカム部４３と、を備えており、出没回転部材７の前方部に、前方に突出する複数の突起部７２が設けられている。
【０１５０】
一方、本実施形態では、筆記体６の後端に（空気孔６３ａを覆うように）、弾性変形可能な柔軟部材６４’が設けられており、当該柔軟部材６４’は、熱可塑性エラストマーの成形体から形成された円筒体であって、前後方向（軸方向）に延びて後端において開口された通気孔６４ａ’（接続空気孔）を有している。筆記体６は、尾栓６３を有しておらず、突片６３ｂも有していない。
【０１５１】
柔軟部材６４’の通気孔６４ａ’は、空気孔６３ａと連通している。また、柔軟部材６４’も、図３５に示すように、例えば、前方側が細径部６４ｄ’となっており、中央部が小径部６４ｅ’となっており、後方側が大径部６４ｆ’となっており、インキ収容管６２に取り付けられた状態において、小径部６４ｅ’の外面がインキ収容管６２の後端部の内面に圧入嵌合されるとともに、大径部６４ｆ’の前面がインキ収容管６２の後端に当接されている。通気孔６４ａ’によって、インキ収容管６２の内部と外部とは空気流通可能となっている。
【０１５２】
そして、前記複数の突起部７２と前記柔軟部材６４とは、弾発体９の付勢力によって前記複数の突起部７２が前記柔軟部材６４を弾性変形させながら当該柔軟部材６４の内部に没入する（図３０及び図３１参照）ことによって互いに周方向に係合するようになっており、前記出没回転部材７の回転に伴って前記筆記体６が回転するようになっている。
【０１５３】
本実施形態のその他の構成については、図１乃至図２０を用いて説明した第１実施形態と略同様である。図３４において、第１実施形態と同様の部分については、同様の符号を付している。また、本実施形態の第１実施形態と同様の部分については、詳しい説明を省略する。
【０１５４】
本実施形態によれば、柔軟部材６４’の通気孔６４ａ’によって通気性を十分に確保することができ、ペン先６１からの熱変色性インキの吐出に応じた適正な空気の取り込みが可能となり、ペン先６１から熱変色性インキを円滑に吐出させることができる。
【０１５５】
出没回転部材７の当接部７３が柔軟部材６４の後端面に当接する場合でも、突起部７２と柔軟部材６４との間に隙間ができるため、当該隙間が空気流通孔として機能することができる。これにより、通気性を十分に確保することができる。
【０１５６】
通気孔６４ａ’に加えて、あるいは通気孔６４ａ’の代わりに、柔軟部材６４の側面に空気孔６３ａに連通する側面孔を開口させて、空気流通孔（接続空気孔）として機能させてもよい。
【０１５７】
また、柔軟部材６４’は、筆記時に筆記体６に加わる衝撃や力を吸収することもできるため、柔らかで書き心地の良い筆記感をユーザに提供することもできる。
【０１５８】
また、本実施形態によれば、柔軟部材６４’の弾性変形によって柔軟部材６４’と突起部７２とが周方向に確実に係合されるため、出没回転部材７の回転に伴う筆記体６の確実な回転が得られる。
【０１５９】
更に、本実施形態によれば、柔軟部材６４’の弾性が、例えば柔軟部材６４’が下側の姿勢で筆記体６が落下した場合等において、筆記体６を衝撃から保護することができる。
【０１６０】
本実施形態において、柔軟部材６４’は、インキ収容管６２の後端に一体的に形成されてもよい。柔軟部材６４’をインキ収容管６２と一体的に形成する方法としては、接着、溶着、インサート成形等が挙げられる。
【０１６１】
（第４実施形態の変形例）
第４実施形態では、第１実施形態と同様の出没回転部材７を用いて、筆記体６の後端部に柔軟部材６４’を設けているが、図３６に示すように、第１実施形態と略同様の突片６３ｂ”を用いて、出没回転部材７”の前方部に柔軟部材を設けてもよい。
【０１６２】
このようなノック式筆記具も、第１実施形態のノック式筆記具１と同様に、前端にペン先６１が設けられ、内部に熱変色性インキが内蔵され、後端に前記熱変色性インキが内蔵される空間に連通する空気孔６３ａ”が開口された筆記体６と、前記筆記体６を、前後方向に移動可能に収容する軸筒２と、前記軸筒２の外面に設けられ、当該軸筒２に対して前後方向に移動可能なノック部材８と、前記ノック部材８が前方に移動される度に、前記軸筒２の前端から前記ペン先６１を突出または没入させるよう前後に移動すると共に、当該筆記体６を回転させる出没回転部材７”と、前記軸筒２内に設けられ、前記ノック部材８の位置に応じて前記出没回転部材７”と係合または係合解除可能なカム部４３と、を備えている。
【０１６３】
当該変形例では、更に第１実施形態と略同様に、筆記体６の後端の鍔部６３ｆ”の更に後方に、周方向に互いに離れて配置された複数の後方に突出する突片６３ｂ”が設けられており、前記複数の突片６３ｂ”の間の隙間６３ｃ”は、前記空気孔６３ａ”と連通している。
【０１６４】
一方、当該変形例では、前記出没回転部材７”の前方部に、環状突起部７４”内に収容されるように、弾性変形可能な柔軟部材７９”が設けられる。当該柔軟部材７９”は、例えば、熱可塑性エラストマーの成形体から形成される。
【０１６５】
そして、前記複数の突片６３ｂ”と前記柔軟部材７９”とは、弾発体９の付勢力によって前記複数の突片６３ｂ”の後方側の一部が前記柔軟部材７９”を弾性変形させながら当該柔軟部材７９”の内部に没入することによって互いに周方向に係合するようになっており、前記出没回転部材７”の回転に伴って前記筆記体６が回転するようになっている。
【０１６６】
このような変形例によっても、複数の突片６３ｂ”の前方側（基端側）の間の隙間によって通気性を十分に確保することができ、ペン先６１からの熱変色性インキの吐出に応じた適正な空気の取り込みが可能となり、ペン先６１から熱変色性インキを円滑に吐出させることができる。また、柔軟部材は、筆記時に筆記体６に加わる衝撃や力を吸収することもできるため、柔らかで書き心地の良い筆記感をユーザに提供することもできる。
【０１６７】
また、このような変形例によっても、柔軟部材７９”の弾性変形によって柔軟部材７９”と突片６３ｂ”とが周方向に確実に係合されるため、出没回転部材７”の回転に伴う筆記体６の確実な回転が得られる。
【０１６８】
更に、このような変形例によっても、柔軟部材７９”の弾性が、例えば柔軟部材７９”が下側の姿勢で筆記体６が落下した場合等において、筆記体６を衝撃から保護することができる。
【符号の説明】
【０１６９】
１        ノック式筆記具
２        軸筒
３        前軸
４        中間軸
５        後軸
６        筆記体
７        出没回転部材
７’      出没回転部材
７”      出没回転部材
８        ノック部材
９        弾発体
２１      スライド孔
３１      先口部
３１ａ    前端孔
３２      本体
３３      把持部
４１      第１の長孔
４２      段部
４３      カム部
４３ａ    カム歯
４３ｂ    カム溝
４４      外向突起
５１      第２の長孔
５２      取付孔
５３      摩擦部
５４      内向突起
６１      ペン先
６２      インキ収容管
６３      尾栓
６３’    尾栓
６３ａ    空気孔
６３ａ’  空気孔
６３ａ”  空気孔
６３ｂ    突片
６３ｂ’  突片
６３ｂ”  突片
６３ｃ    隙間
６３ｃ’  隙間
６３ｃ”  隙間
６３ｄ    小径部
６３ｅ    大径部
６３ｆ    鍔部
６３ｆ’  鍔部
６３ｆ”  鍔部
６３ｇ    係合面
６３ｐ    外向突起
６３ｔ    補助テーパ部
６３ｖ    当接部
６４      柔軟部材
６４’    柔軟部材
６４ａ    通気孔
６４ａ’  通気孔
６４ｄ    細径部
６４ｄ’  細径部
６４ｅ    小径部
６４ｅ’  小径部
６４ｆ    大径部
６４ｆ’  大径部
７１      突条
７２      突起部
７２ａ    係合面
７２ｃ    隙間
７３      当接部
７４      環状補助突起部
７４’    環状突起部
７４”    環状突起部
７４ｔ    補助当接面
７８      外向突起
７９’    柔軟部材
７９”    柔軟部材
８１      基部
８２      軸部
８２ａ    カム歯
８３      クリップ
８３ａ    玉部
８８      内向突起
【図１】
2020110461.tif 000003
【図２】
2020110461.tif 000004
【図３】
2020110461.tif 000005
【図４】
2020110461.tif 000006
【図５】
2020110461.tif 000007
【図６】
2020110461.tif 000008
【図７】
2020110461.tif 000009
【図８】
2020110461.tif 000010
【図９】
2020110461.tif 000011
【図１０】
2020110461.tif 000012
【図１１】
2020110461.tif 000013
【図１２】
2020110461.tif 000014
【図１３】
2020110461.tif 000015
【図１４】
2020110461.tif 000016
【図１５】
2020110461.tif 000017
【図１６】
2020110461.tif 000018
【図１７】
2020110461.tif 000019
【図１８】
2020110461.tif 000020
【図１９】
2020110461.tif 000021
【図２０】
2020110461.tif 000022
【図２１】
2020110461.tif 000023
【図２２】
2020110461.tif 000024
【図２３】
2020110461.tif 000025
【図２４】
2020110461.tif 000026
【図２５】
2020110461.tif 000027
【図２６】
2020110461.tif 000028
【図２７】
2020110461.tif 000029
【図２８】
2020110461.tif 000030
【図２９】
2020110461.tif 000031
【図３０】
2020110461.tif 000032
【図３１】
2020110461.tif 000033
【図３２】
2020110461.tif 000034
【図３３】
2020110461.tif 000035
【図３４】
2020110461.tif 000036
【図３５】
2020110461.tif 000037
【図３６】
2020110461.tif 000038
【国際調査報告】
2020110461.tif 000039
2020110461.tif 000040
2020110461.tif 000041
2020110461.tif 000042